(57)【要約】      （修正有）【課題】組立式コンテナにおける３枚の側面パネルを外方に展開して一時的に起立固定可能とすることにより、組立作業が楽で、よりコンパクトに折り畳める構造を提供する。【解決手段】搬送可能なパレットと、該パレット上に、４枚の側面パネルで囲んで収納部とする側面パネルのうち、後部に位置する中央パネル２ａ、および左・右側面に位置する左側面パネル２ｂ、右側面パネル２ｃの３枚の側面パネルから構成される胴枠パネルと、該胴枠パネルとは独立し、左・右側面パネル２ｂ；２ｃとは着脱自在に固定する前面パネルからなる。中央パネル２ａの両端部に、ヒンジ付き支柱５ａ；５ｂをそれぞれ一体に形設し、左・右側面パネル２ｂ；２ｃとの間でヒンジ結合する。右側面パネル２ｃが折り畳み前面となるように、支柱５ｂの断面形状を、側面パネルの厚みだけ中央パネル２ａと直交する方向に延長したものとしている。【選択図】図２
0003164363.tif 000002
【実用新案登録請求の範囲】
【請求項１】
搬送可能なパレット（１）と、該パレット上に、
４枚の側面パネルで囲んで収納部（Ｙ）とする側面パネルのうち、
後部に位置する中央パネル（２ａ）、および左・右側面に位置する左側面パネル（２ｂ）、右側面パネル（２ｃ）の３枚の側面パネルから構成される胴枠パネル（２）と、
該胴枠パネル（２）とは独立し、左・右側面パネル（２ｂ，２ｃ）とは着脱自在に固定する前面パネル（３）からなり、
中央パネル（２ａ）の両端部に、ヒンジ（４）付き支柱（５ａ，５ｂ）をそれぞれ一体に形成して設け、
これら支柱（５ａ，５ｂ）のうち、一方の支柱（５ａ又は５ｂ）の一辺に、ヒンジ（４）の凸部（４ａ）を設けるとともに、
他方の支柱（５ｂ又は５ａ）は、側面パネル（２ｂ又は２ｃ）の厚み（α）だけ中央パネル（２ａ）と直交する方向に延長した支柱とし、該支柱にも、ヒンジ（４）の凸部（４ａ）を設け、
中央パネル（２ａ）と隣接する，左側面パネル（２ｂ）及び、右側面パネル（２ｃ）には、それぞれヒンジ（４）の凹部（４ｂ）をそれぞれ設けた
ことを特徴とする組立式コンテナにおける側面パネルの折り畳み構造。
【請求項２】
前記ヒンジ付き支柱（５ａ）（５ｂ）は、それぞれアルミ製の縦フレーム（２′，２″）と一体に形成することを特徴とする請求項１記載の組立式コンテナにおける側面パネルの折り畳み構造。                                            
【請求項３】
前記ヒンジ付き支柱（５ａ）（５ｂ）の角部に、凹条（６）を形成したことを特徴とする請求項１または２記載の組立式コンテナにおける側面パネルの折り畳み構造。
【考案の詳細な説明】
【技術分野】
【０００１】
この考案は、組立式コンテナにおける側面パネルの折り畳み構造に関するものである。
【背景技術】
【０００２】
従来、この種の折り畳み式組立コンテナは、パレット上に底板を固定し、この底板に４枚の側面パネルがそれぞれ起立・倒伏可能に底部付近に枢着された構造となっており、必要時には、組み立て、また、不要時には側面パネルを折り畳み、コンテナの底板に折り重ねて収まるよう構成することにより、不要時の保管スペースを小さくすることができるコンテナが存在している。例えば、特許文献１のように。
【０００３】
そして、この発明のコンテナは、従来品のように、一々、側面パネルを一枚・一枚組み立てたりせず、底部に折り畳まれた４枚の側面パネルを倒立自在に起立・倒伏させるさせることにより、組み立て作業が軽減されるものであった。
【０００４】
しかしながら、このコンテナにおいても、使用時に組み立てたり、使用後には、組み立てたコンテナを取り外して元に戻し、パレット上に、側面パネル４枚とこれに蓋を載置してコンパクトに収まるようにする必要があった。
【０００５】
また、コンテナを組み立てる際、側面パネルのすべてを起立させてしまうと、内部に収納品を入れる際には、側面パネルの上から挿入して底部に載置しなければならず、軽量の収納品であれば問題はないが、重量物である場合には、その作業が煩雑であり、作業効率も悪いものでった。
【０００６】
これに対して、４枚の側面パネルのうち、相対向する２枚の側面パネルを底板と枢着して倒立自在に起立・倒伏させる構造のものも存在した。しかし、収納品を入れる作業中には、２枚の側面パネルが内方向に倒れないように側面パネルの上部を固定する必要があっり、作業性の悪いものであった。例えば、特許文献２のように。
【先行技術文献】
【特許文献】
【０００７】
【特許文献１】特許第４３４１１８９号公報
【特許文献２】実開昭５９−０７２９号公報
【考案の概要】
【考案が解決しようとする課題】
【０００８】
そこで、この考案が解決しようとする問題点は、コンテナの組み立て作業が、従来品よりも楽であって、コンテナ内部に収納品を入れる作業も、楽に行え、さらに、作業中に側面パネルが倒れることのなく、また、側面パネルを折り畳む際にも、３枚の側面パネルが偏平に重ねて折り畳めることができることにより、嵩を少なくでき、運搬時や保管時により多くの組立式コンテナが収納でき、便利な組立式コンテナにおける側面パネルの折り畳み構造を開発することにある。
【課題を解決するための手段】
【０００９】
この考案による課題を解決するための手段としては、コンテナにおいて、隣接する４枚の側面パネルのうち、３枚の側面パネルを、水平方向に折り畳み可能に一体にパレット上に設け、残りの１枚の側面パネルは別個に組み立てるため、この１枚の側面パネルを空けておくことにより、この部分からコンテナ内部に収納品を入れやすく、収納作業が簡単であり、さらに、コンテナを取り外して元に戻す際、３枚の側面パネルを偏平に折り畳むことが出来るよう構成し、コンテナをコンパクトにすると共に折り畳み作業を省力化できる構造としたものである。
【考案の効果】
【００１０】
この考案によると、コンテナを囲う４枚の側面パネルのうち、３枚の側面パネルが折り畳み可能に一体に形成されており、これをコンテナ上にセットし、残り１枚の側面パネルの部分が開放されているため、積込み作業時に、この開放部を使ってコンテナ内部に収納品を入れ易く、収納作業も簡単である等の効果を奏する。
【００１１】
また、コンテナを囲う４枚の側面パネルのうち、３枚の側面パネルが折り畳み可能に一体に形成されていることにより、組立式コンテナを組み立てる場合、元に戻す作業にも、側面パネルを一枚・一枚組み立てたり、元に戻す必要がなく、その作業が省力的に行えるいう効果を奏する。
【００１２】
さらに、コンテナを取り外してて元に戻す場合には、中央パネルに、左・右の側面パネルを折り畳んだ際、一方の支柱が、側面パネルの厚みだけ長く形成したことにより、３枚の側面パネルを偏平に折り畳むことが出来、コンテナの嵩を、よりコンパクトに収めることが出来るいう極めて有益なる効果を奏する。
【００１３】
また、胴枠パネルにおいて、左・右側面パネルと隣接する中央パネルの両端に位置するそれぞれ支柱の角部は、突出しないように、凹部を形成するさとにより、角部に接触しても怪我等をしないという効果も奏する。
【図面の簡単な説明】
【００１４】
【図１】この考案の一実施例を示し、（Ａ）は、組立式コンテナの側面パネルの平面図であり、（Ｂ）は、図１（Ａ）中のａ部分の一部欠截拡大平面図であり、（Ｃ）は、図１（Ａ）中のｂ部分の一部欠截拡大平面図である。
【図２】この考案の一実施例を示し、（Ａ）は、胴枠パネルの開閉状態を示す斜視図であり、（Ｂ）は、図２（Ａ）中のｃ部分の一部欠截拡大斜視図であり、（Ｃ）は、図２（Ａ）中のｄ部分の一部欠截拡大斜視図である。
【図３】この考案の一実施例を示し、組立式コンテナの側面パネルの開いた状態を示す一部欠截拡大平面図であり、（Ｂ）は、組立式コンテナの側面パネルの閉じた状態を示す一部欠截拡大平面図である。
【図４】この考案の一実施例を示し、組立式コンテナの側面パネルの斜視図である。
【考案を実施するための形態】
【００１５】
この考案は、組立式コンテナにおいて、搬送可能なパレット（１）と、該パレット上に、収納部（Ｙ）を形成するよう４枚の側面パネルのうち、隣接する３枚の側面パネルからなる胴枠パネルと１枚の前面パネルからなり、胴枠パネルは中央側面パネルの両端に、左・右側面パネルをヒンジで折り畳み可能に設け、さらに、折り畳んだ際に３枚のパネルが偏平に折り畳むよう構成したものである。
【実施例】
【００１６】
この考案の一実施例を図に基づいて詳細に説明すると、  搬送可能なパレット（１）と、該パレット上に、４枚の側面パネルで囲んで収納部（Ｙ）とする側面パネルのうち、後部に位置する中央パネル（２ａ）、および左・右側面に位置する左側面パネル（２ｂ）、右側面パネル（２ｃ）の３枚の側面パネルから構成される胴枠パネル（２）を設ける。
【００１７】
そして、該胴枠パネル（２）とは独立し、左・右側面パネル（２ｂ，２ｃ）とは着脱自在に固定する前面パネル（３）からなる。
【００１８】
中央パネル（２ａ）の両端部に、ヒンジ（４）付き支柱（５ａ，５ｂ）をそれぞれ一体に形成して設けている。
【００１９】
これら支柱（５ａ，５ｂ）のうち、一方の支柱（５ａ又は５ｂ）の一辺に、ヒンジ（４）の凸部（４ａ）を設けるとともに、他方の支柱（５ｂ又は５ａ）は、側面パネル（２ｂ又は２ｃ）の厚み（α）だけ中央パネル（２ａ）と直交する方向に延長した支柱とし、該支柱にも、ヒンジ（４）の凸部（４ａ）を設けている。
【００２０】
中央パネル（２ａ）と隣接する，左側面パネル（２ｂ）及び、右側面パネル（２ｃ）には、それぞれヒンジ（４）の凹部（４ｂ）をそれぞれ設けたことを特徴とする組立式コンテナにおける側面パネルの折り畳み構造ら構成されている。
【００２１】
また、前記ヒンジ付き支柱（５ａ）（５ｂ）は、断面がコ字状のアルミ製の縦フレーム（２′）（２″）と一体に形成され、それぞれ側面パネルの両端を挟み、ビス等で固定するよう構成されるものでもよい。
【００２２】
尚、パレット（１）上での、前面パネル（３）と、胴枠パネル（２）との着脱手段は、特に、限定しない。また、胴枠パネル（２）において、左・右側面パネル（２ｂ，２ｃ）と隣接する中央パネル（２ａ）の両端に位置するそれぞれ支柱（５ａ，５ｂ）の角部は、図２（Ａ）（Ｂ）にそれぞれ示すように、凹条（６）を形成して、支柱（５ａ，５ｂ）の角部で怪我等をしないよう構成してもよい。
【産業上の利用可能性】
【００２３】
この考案は、組立式コンテナにおける側面パネルの折り畳み構造の技術を確立し、実施することにより、産業上利用可能性があるものである。
【符号の説明】
【００２４】
１  パレット
２  胴枠パネル
２′アルミ製の縦フレーム
２″アルミ製の縦フレーム
２ａ  中央パネル
２ｂ  左側面パネル
２ｃ  右側面パネル
３  前面パネル
４  ヒンジ
４ａ  凸部
４ｂ  凹部
５ａ  支柱
５ｂ  支柱
６  凹条
Ｙ  収納部
α  側面パネルの厚み
【図１】
0003164363.tif 000003
【図２】
0003164363.tif 000004
【図３】
0003164363.tif 000005
【図４】
0003164363.tif 000006